(57)【特許請求の範囲】
【請求項１】
一対の歯付プーリに巻き付けて張架され、一端および他端がブラケットに固定される歯付ベルトの張力を調整するベルト張り調整装置において、
上記歯付ベルトの一端に噛合させる歯を有する溝にこの歯付ベルトの一端を嵌め込んで固定する固定部と、この固定部に連なり、上記歯付ベルトの他端付近の外周を案内するＵ字状をなすＵ字状案内部とを有して、上記ブラケットに固定される固定具と、
上記Ｕ字状案内部の内部に配置されるように上記固定具に回動自在に取り付けられて、上記歯付ベルトの他端に噛合する歯付プーリと、
この歯付プーリの中心穴に挿入され、この歯付プーリを上記固定具に固定する締付具とを備え、
上記歯付プーリは、軸部の最外端がレンチが嵌合しうる多角形をなすとともに、上記歯付プーリが傾くことを阻止すべく上記多角形の内側の軸部に当接する当接片が、上記Ｕ字案内部の内側に位置するように上記固定具に設けられていることを特徴とするベルト張り調整装置。
【請求項２】
一対の歯付プーリに巻き付けて張架され、一端および他端がブラケットに固定される歯付ベルトの張力を調整するベルト張り調整装置において、
上記歯付ベルトの一端を案内する第１凹部と、この第１凹部に連なり、上記歯付ベルトの他端付近の外周を案内するＵ字状をなすＵ字状案内部とを有して、上記ブラケットに固定される固定具と、
上記Ｕ字状案内部の内部に配置されるように上記固定具に回動自在に取り付けられて、上記歯付ベルトの他端に噛合する歯付プーリと、
この歯付プーリの中心穴に挿入され、この歯付プーリを上記固定具に固定する締付具と、
上記歯付ベルトの一端に噛合させる歯を有して、この歯付ベルトの一端を嵌め込んで固定するとともに、上記第１凹部内に摺動自在に収容された第１摺動ブロックと、
この第１摺動ブロックと上記第１凹部の一端との間に縮装された弾性部材と、  上記第１摺動ブロックを第１凹部内の所定位置に位置するように上記固定具に固定する固定部材とを備え、
上記歯付プーリは、軸部の最外端がレンチが嵌合しうる多角形をなすとともに、上記歯付プーリが傾くことを阻止すべく上記多角形の内側の軸部に当接する当接片が、上記Ｕ字案内部の内側に位置するように上記固定具に設けられていることを特徴とするベルト張り調整装置。
【請求項３】
一対の歯付プーリに巻き付けて張架され、一端および他端がブラケットに固定される歯付ベルトの張力を調整するベルト張り調整装置において、
水平に延在し、上記歯付ベルトの一端に噛合させる歯が上部に形成された溝に上記歯付ベルトの一端を表側から嵌め込んで座金付きボルトで抜け止めして固定する固定部と、この固定部の上方に平行に連なり、表側が全面に亙って、他端が上記歯付きベルトの高さだけ夫々開いた溝穴をなして、上記歯付ベルトの他端を案内する第２凹部と、この第２凹部の両端から前方に突出するフランジ部とを有して、上記ブラケットに固定される固定具と、
上記歯付ベルトの他端に噛合させる歯と歯付ベルトの抜けを防止する板状突起とを下面に有し、前方に突出するとともに、上記第２凹部に摺動自在に収容された第２摺動ブロックと、
上記フランジ部の取付穴に挿通され、上記第２摺動ブロックに貫設されたねじ穴に螺合され、上記フランジ部を挟む首下にロックナットを有して、上記第２摺動ブロックを進退させる送りボルトとを備えたことを特徴とするベルト張り調整装置。
【発明の詳細な説明】
【０００１】
【発明の属する技術分野】
本発明は、一対の歯付プーリに巻き付けて張架され、一端および他端が例えば扉を吊るす戸車付き等のブラケットに固定される歯付ベルトの張力を調整するベルト張り調整装置に関する。
【０００２】
【従来の技術】
従来、吊り扉として、例えば図５に示すようなものが知られている。この吊り扉は、開口部５１の上縁に沿って水平に設けられたレール５２上を走行する１対の戸車５３,５４を支承する各ブラケット５５,５６に扉５７の上部一端と他端を吊り下げるとともに、開口部５１の上方両側付近の壁に枢着され、一方がモータ５９で駆動される１対の歯付プーリ５８a,５８bに歯付ベルト６０を巻き付けて張架し、この歯付ベルト６０の一端６０aと他端６０bを左側のブラケット５５に固定して、扉５７を開閉動作させるようにしている。
【０００３】
上記歯付ベルトの両端６０a,６０bとブラケット５５の固定部は、図６に示すように、ボルト６１,６１で一端がブラケット５５の上部に固定される板状部材６２の中間に取り付けられたＬ金具６３の上辺に、歯付ベルトの一端６０aの歯に噛合させた押さえ金具６４をボルト６５,６５で固定する一方、Ｌ状部材６６の上辺に同様の押さえ金具６７とボルト６８,６８により歯付ベルトの他端６０bを固定し、Ｌ状部材６６の垂直辺に固定したナット６９に螺合した寸切りボルト７０の先端を、上記板状部材６２の他端の折曲辺の穴に挿通し,両側からナット７１,７２で締め付けるようになっている。
歯付ベルト６０の張力の調整は、歯付ベルトの一端６０aが固定された板状部材６２の他端のナット７１,７２を緩め、寸切りボルト７０とＬ状部材６６を介して歯付ベルトの他端６０bを押し,引きしてベルトの張り具合を適正に調整した後、再びナット７１,７２を締め付けて行なわれる。
【０００４】
【発明が解決しようとする課題】
ところが、上記従来のベルト張り調整装置は、Ｌ金具６３,押さえ金具６４,折曲辺のナット７１,７２や寸切りボルト７０および多くのボルト６１,６５をもつベルト一端６０a側の板状部材と、押さえ金具６７,ボルト６８,ナット６９をもつベルト他端６０b側のＬ状部材６６とからなるため、部品点数が増えて高価になるという問題がある。また、張力の調整を、ブラケット５５から離れたＬ状部材６６との間隔を寸切りボルト７０の締付ナット７１,７２による長さ調整で行なうため、梯子を用いた高所作業であることも加わって作業性が悪く、ベルト他端６０bが一端６０aに対して傾いてベルト歯面が揃わないという問題もある。
一方、他の従来例として、従動側の歯付プーリ５８aの中心軸を水平方向に移動調整できるようにしたベルト張り調整装置もあるが、構成部品が高価になるうえ、歯付プーリ５８a付近にスペースが必要になり、また、歯付プーリ５８aがブラケット５５から離れているため、扉取付と同時にベルト張力調整ができないという問題がある。
【０００５】
そこで、本発明の目的は、構造をブラケットに組み込めるコンパクトなものに工夫することによって、部品点数が少なく、スペースを要さず、しかも作業性の良い安価なベルト張り調整装置を提供することにある。
【０００６】
【課題を解決するための手段】
上記目的を達成するため、請求項１の発明は、一対の歯付プーリに巻き付けて張架され、一端および他端がブラケットに固定される歯付ベルトの張力を調整するベルト張り調整装置において、上記歯付ベルトの一端に噛合させる歯を有する溝にこの歯付ベルトの一端を嵌め込んで固定する固定部と、この固定部に連なり、上記歯付ベルトの他端付近の外周を案内するＵ字状をなすＵ字状案内部とを有して、上記ブラケットに固定される固定具と、上記Ｕ字状案内部の内部に配置されるように上記固定具に回動自在に取り付けられて、上記歯付ベルトの他端に噛合する歯付プーリと、この歯付プーリの中心穴に挿入され、この歯付プーリを上記固定具に固定する締付具とを備え、上記歯付プーリは、軸部の最外端がレンチが嵌合しうる多角形をなすとともに、上記歯付プーリが傾くことを阻止すべく上記多角形の内側の軸部に当接する当接片が、上記Ｕ字案内部の内側に位置するように上記固定具に設けられていることを特徴とする。
【０００７】
ブラケットには、ベルト張り調整装置の固定具が固定され、この固定具の固定部に、一対の歯付プーリに巻き付けて張架された歯付ベルトの一端をまず噛合させて固定し、次いで上記歯付ベルトの他端付近を、上記固定具のＵ字状案内部に外周を案内させつつ、Ｕ字状案内部の内部の固定具に回動自在に取り付けられた歯付プーリに噛合させてから、この歯付プーリをベルトが適正張力になるまで回転させる。つまり、歯付プーリに歯付ベルトの他端を噛合させた後、歯付プーリの最外端の多角形にレンチを嵌合して回す。すると、歯付ベルトに加わる張力で傾こうとする歯付プーリは、その軸部が当接片に当たって傾きが阻止されるから、歯付ベルトを容易に張り、また歯付ベルトの張力を容易に調整することができる。その後、歯付プーリを締付具によって上記固定具に固定する。これにより、張架された歯付ベルトは、適正な張力に調整されて両端がブラケットに固定されることになる。なお、歯付ベルトの張力を減じる場合は、締付具を緩めてから、歯付プーリをベルトが適正張力になるまで逆回転させた後、再び締付具を締め付ければよい。
このように、上記ベルト張り調整装置は、固定部と締付具付きの歯付プーリを内部に枢着したＵ字状案内部とからなる固定具をブラケットに固定しただけの簡素な構造なので、スペースをとらないうえ、部品点数が少なくて安価に製造でき、螺合した２重ナットで寸切りボルトの長さを調整するなどの従来例に比して、ベルト両端の歯面も揃い、軸部の最外端が多角形で内側に当接片をもつ歯付プーリと相俟って、ベルト張り調整作業が一層容易になる。
【０００８】
請求項２の発明は、一対の歯付プーリに巻き付けて張架され、一端および他端がブラケットに固定される歯付ベルトの張力を調整するベルト張り調整装置において、上記歯付ベルトの一端を案内する第１凹部と、この第１凹部に連なり、上記歯付ベルトの他端付近の外周を案内するＵ字状をなすＵ字状案内部とを有して、上記ブラケットに固定される固定具と、上記Ｕ字状案内部の内部に配置されるように上記固定具に回動自在に取り付けられて、上記歯付ベルトの他端に噛合する歯付プーリと、この歯付プーリの中心穴に挿入され、この歯付プーリを上記固定具に固定する締付具と、上記歯付ベルトの一端に噛合させる歯を有して、この歯付ベルトの一端を嵌め込んで固定するとともに、上記第１凹部内に摺動自在に収容された第１摺動ブロックと、この第１摺動ブロックと上記第１凹部の一端との間に縮装された弾性部材と、上記第１摺動ブロックを第１凹部内の所定位置に位置するように上記固定具に固定する固定部材とを備え、上記歯付プーリは、軸部の最外端がレンチが嵌合しうる多角形をなすとともに、上記歯付プーリが傾くことを阻止すべく上記多角形の内側の軸部に当接する当接片が、上記Ｕ字案内部の内側に位置するように上記固定具に設けられていることを特徴とする。
【０００９】
ブラケットには、ベルト張り調整装置の固定具が固定され、この固定具の第１凹部内の第１摺動ブロックに、一対の歯付プーリに張架された歯付ベルトの一端をまず噛合させ、次いで上記歯付ベルトの他端付近を、上記固定具のＵ字状案内部に外周を案内させつつ、Ｕ字状案内部の内部の歯付プーリに噛合させてから、この歯付プーリを、ベルトが適正張力になるまで回転させる。つまり、歯付プーリに歯付ベルトの他端を噛合させた後、歯付プーリの最外端の多角形にレンチを嵌合して回す。すると、歯付ベルトに加わる張力で傾こうとする歯付プーリは、その軸部が当接片に当たって傾きが阻止されるから、歯付ベルトを容易に張り、また歯付ベルトの張力を容易に調整することができる。歯付プーリの回転に伴って、歯付ベルトが次第に張られ、第１摺動ブロックが弾性部材を押し縮めつつ第１凹部の一端に向かって移動し、歯付ベルトには、弾性部材の当初の圧縮力に縮まった長さとばね定数の積を加えた張力が作用する。そこで、第１摺動ブロックが所望の張力に対応する第１凹部内の所定位置まで移動したとき、歯付プーリを締付具によって、また第１摺動ブロックを固定部材によって夫々固定具に固定する。かくて、張架された歯付ベルトは、上記所望の張力に調整されて両端がブラケットに固定されることになる。
このように、上記ベルト張り調整装置は、第１摺動ブロック,弾性部材,固定部材をもつ第１凹部と、締付具付きの歯付プーリを内部に枢着したＵ字状案内部とからなる固定具をブラケットに固定しただけの簡素な構造なので、スペースをとらないうえ、部品点数が少なくて安価に製造でき、寸切りボルトを長さ調整するなどの従来例に比して、ベルト両端の歯面も揃い、張力の調整作業が容易である。さらに、第１摺動ブロックの一端側に縮装した弾性部材によって、容易かつ確実に所望の一定張力を歯付ベルトに加えることができるとともに、軸部の最外端が多角形で内側に当接片をもつ歯付プーリによって、ベルト張り調整作業が一層容易になる。
【００１０】
請求項３の発明は、一対の歯付プーリに巻き付けて張架され、一端および他端がブラケットに固定される歯付ベルトの張力を調整するベルト張り調整装置において、水平に延在し、上記歯付ベルトの一端に噛合させる歯が上部に形成された溝に上記歯付ベルトの一端を表側から嵌め込んで座金付きボルトで抜け止めして固定する固定部と、この固定部の上方に平行に連なり、表側が全面に亙って、他端が上記歯付きベルトの高さだけ夫々開いた溝穴をなして、上記歯付ベルトの他端を案内する第２凹部と、この第２凹部の両端から前方に突出するフランジ部とを有して、上記ブラケットに固定される固定具と、上記歯付ベルトの他端に噛合させる歯と歯付ベルトの抜けを防止する板状突起とを下面に有し、前方に突出するとともに、上記第２凹部に摺動自在に収容された第２摺動ブロックと、上記フランジ部の取付穴に挿通され、上記第２摺動ブロックに貫設されたねじ穴に螺合され、上記フランジ部を挟む首下にロックナットを有して、上記第２摺動ブロックを進退させる送りボルトとを備えたことを特徴とする。
【００１１】
ブラケットには、ベルト張り調整装置の固定具が固定され、この固定具の固定部に、一対の歯付プーリに張架された歯付ベルトの一端をまず噛合させて固定し、次いで歯付ベルトの他端を、上記固定具の第２凹部内の第２摺動ブロックに噛合させてから、この第２摺動ブロックを、この第２摺動ブロックに螺合し,固定具のフランジ部に挿通した送りボルトの回転で進退させて、ベルトを適正張力に調整し、調整位置にロックナットで固定する。これにより、張架された歯付ベルトは、適正な張力に調整されてブラケットに両端が固定されることになる。
このように、上記ベルト張り調整装置は、固定部と第２摺動ブロック,送りボルトを挿通したフランジ部,第２凹部とからなる固定具をブラケットに固定しただけの簡素な構造なので、スペースをとらないうえ、部品点数が少なくて安価に製造でき、寸切りボルトを長さ調整するなどの従来例に比して、ベルト両端の歯面も揃い、張力の調整作業が容易である。さらに、第２凹部の両端から前方に突出するフランジ部に挿通され,前方に突出する第２摺動ブロックの貫通ねじ穴に螺合された送りボルトは、歯付ベルトやブラケットよりも前方に位置するので、送りボルトやロックナットをレンチ等で容易に回わせて、ベルト張力の調整作業が一層容易化する。
【００１２】
【発明の実施の形態】
以下、本発明を図示の実施の形態により詳細に説明する。
図１(Ａ),(Ｂ),(Ｃ)は、本発明の請求項１のベルト張り調整装置の一例を示す正面図,側面図,平面図であり、この調整装置は、歯付ベルト６０の一端６０aに噛合させる歯を有してこの一端６０aを固定する固定部２と、この固定部２に連なり、上記歯付ベルト６０の他端６０b付近の外周を案内するＵ字状をなすＵ字状案内部３とを有して、戸車５３(図５参照)を支承するブラケット５５の上部にボルト４,４で固定される固定具１と、Ｕ字状案内部３の内部に配置されるように上記固定具１に回動自在に取り付けられて、歯付ベルトの他端６０bに噛合する歯付プーリ５と、この歯付プーリ５を固定具１に固定する締付具としての締付ボルト６を備えている。
【００１３】
上記固定部２は、固定具１の一端からＵ字状案内部３の下部に沿って略水平に延びる溝をなし、表側から歯付ベルトの一端６０aが嵌め込まれて溝の一端側のみに設けられた歯と噛合し、歯付ベルトの溝からの抜けを一端側に螺着した座金付きボルト７で防止している。
上記歯付プーリ５は、歯付ベルトに噛合する歯が設けられた歯車部５aと、この歯車部５aの歯先と略同径の円をなして軸方向外側に連なる軸部５bと、レンチが嵌合しうる軸方向最外端の六角部５cからなり、中心穴５ｄに挿通した上記締付ボルト６を裏面壁に螺着して固定具１に取り付けられる。
【００１４】
一方、歯先ベルト６０を張る際に歯付プーリ５が傾くのを阻止するために、上記円形断面の軸部５bに当接する当接片８を、固定具１の他端に外方へ水平に開いた上記Ｕ字状案内部３の内部中心に水平に位置するように、固定具１の裏面壁から突設するとともに、歯付プーリ５に巻き付けた後の歯付ベルトの他端６０bを、上記当接片８の水平部に向けて押し付けて固定する固定ボルト９をＵ字状案内部３の端部に垂直に螺着している。
なお、固定具１をブラケット５５に固定するボルト４,４は、高さ調整を可能にするため、固定具１の垂直方向の長穴１０,１０を通してブラケット５５に螺合される一方、ブラケット５５の裏面には、戸車５３の下方にレール５２の前端下縁に僅かな間隔をおいてしゃくり止め１１を固定して、戸車５３のレール５２からの脱落を防いでいる。また、扉５７は、ブラケット５５の下端水平部にボルト１２で固定される。
【００１５】
上記構成のベルト張り調整装置は、次のように用いられる。
レール５２上を走行する戸車５３を支承し,扉５７を吊り下げたブラケット５５の上部に固定された固定具１の固定部２に、一対の歯付プーリ５８a,５８b(図５参照)に張架された歯付ベルト６０の一端６０aを嵌め込んで噛合させ、座金付きボルト７を螺着して抜け止めをする。次に、締付ボルト６を緩めて歯付プーリ５の六角部５cに図示しないレンチを嵌合して回す。すると、レンチを回すに伴って歯付ベルト６０に加わる張力によって歯付プーリ５は傾こうとするが、その傾きは、軸部５bが当接片８に当たることによって阻止されるので、歯付ベルト６０を適正な張力まで容易に張ることができる。最後に、締付ボルト６を締め付けて、歯付プーリ５を固定具１に確実に固定するとともに、固定ボルト９を締め付けて、歯付ベルトの他端６０bを固定する。これによって、一対の歯付プーリ５８a,５８bに張架された歯付ベルト６０は、適正な張力に調整されて固定具１を介してブラケット５５に両端６０a,６０bを固定されることになる。
なお、歯付ベルト６０の張力を減じる場合は、締付ボルト６と固定ボルト９を緩め、歯付プーリ５の六角部５cに嵌合したレンチを、逆に回わした後、両ボルト６,９を再び締め付ければよい。
【００１６】
このように、上記ベルト張り調整装置は、固定部２と締付ボルト６付きの歯付プーリ５を内部に枢着したＵ字状案内部３とからなる固定具１をブラケット５５に固定しただけの簡素な構造なので、スペースをとらないうえ、部品点数が少なくて安価に製造でき、図６の２重ナット７１,７２で寸切りボルト７０の長さを調整するなどの従来例に比して、ベルト両端６０a,６０bの歯面も揃い、張力の調整を容易に行なうことができる。
また、歯付プーリ５に六角部５cを設け、歯付ベルト６０の張りに伴なう歯付プーリ５の傾きを軸部５bへの当接により阻止する当接片８を設けているので、歯付プーリ５による歯付ベルト６０の張力調整が容易にできるとともに、締付具を歯付プーリ５の中心を貫いて固定具１の裏面壁に螺着しているので、歯付プーリ５の固定具１への固定が迅速かつ確実にできるという利点がある。
さらに、歯付ベルト６０の一端６０aの抜けを防止する座金付きボルト７および他端６０bを固定する固定ボルト９を設けているので、ベルト両端６０a,６０bをその歯面を良く揃わせてブラケット５５に確実に固定できるという利点がある。
【００１７】
図２(Ａ),(Ｂ)は、本発明の参考例のベルト張り調整装置の一例を示す正面図,平面図である。この調整装置は、図１で述べた固定具１のＵ字状案内部３を、歯付ベルトの他端６０bを案内する第２凹部１３とし、この第２凹部１３に上記他端６０bに噛合させる歯を有する第２摺動ブロック１４を摺動自在に配置するとともに、この第２摺動ブロック１４を進退させるように固定具１に送りボルト１５を螺合した点のみが図１と異なるので、図１と同じ部材には同一番号を付して説明を省略する。
上記第２凹部１３は、表側が全面に亙り,かつ他端が送りボルト１５の下部でベルト高さだけ夫々開き、かつ第２摺動ブロック１４の突出後部に適合する段付きの水平な溝穴をなし、表側から歯付ベルトの他端６０bが嵌め込めるとともに、他端６０bに噛合する第２摺動ブロック１４の抜けを、上記段付き部の壁に螺着した座金付きボルト１６で防止している。なお、送りボルト１５には、固定具１の他端に当接して第２摺動ブロック１４の上記溝穴内での位置決めを行なうロックナット１７を螺合している。
【００１８】
図２のベルト張り調整装置は、次のように用いられる。
ブラケット５５の上部に固定された固定具１の固定部２に、一対の歯付プーリ５８a,５８b(図５参照)に張架された歯付ベルト６０の一端６０aを嵌め込んで噛合させ、座金付きボルト７を螺着して抜け止めをする。次に、歯付ベルト６０の他端６０bを、固定具１の第２凹部１３内の第２摺動ブロック１４に噛合させつつ嵌め込んでから、ロックナット１７を緩めた送りボルト１５を歯付ベルト６０が適正張力になるまでねじ込んだ後、ロックナット１７を固定具１の他端に締め付ける。これにより、張架された歯付ベルト６０は、適正な張力に調整されてブラケット５５に両端６０a,６０bが固定されることになる。
【００１９】
このように、図２のベルト張り調整装置は、固定部２と第２摺動ブロック１４,送りボルト１５をもつ第２凹部１３とからなる固定具１をブラケット５５に固定しただけの簡素な構造なので、スペースをとらないうえ、部品点数が少なくて安価に製造でき、図６の寸切りボルト７０を長さ調整するなどの従来例に比して、ベルト両端６０a,６０bの歯面も揃い、張力の調整を容易に行なうことができる。
また、第２凹部１３の段付き部の壁に座金付きボルト１６を螺着しているので、第２摺動ブロック１４の抜けを防止でき、送りボルト１５にロックナット１７を螺合しているので、第２摺動ブロック１４を溝穴内で確実に位置決めできるという利点がある。
【００２０】
図３(Ａ),(Ｂ)は、本発明の請求項２のベルト張り調整装置の一例を示す正面図,平面図である。この調整装置は、図１の固定具１の固定部２を、歯付ベルト６０の一端６０aを案内する第１凹部１８とし、この第１凹部１８に上記一端６０aに噛合させる歯を有する第１摺動ブロック１９を摺動自在に配置するとともに、この第１摺動ブロック１９と第１凹部１８の一端との間に弾性部材としてのばね２０を縮装し、第１摺動ブロック１９を、第１凹部１８内の所定位置に位置するように固定部材としてのボルト２１,２１で固定具１に固定する点のみが図１と異なるので、図１と同じ部材には同一番号を付して説明を省略する。
【００２１】
上記第１凹部１８は、表側が全面に亙り,かつ一端がベルト高さだけ夫々開いた溝穴をなす一方、上記第１摺動ブロック１９は、ベルトの一端６０aに噛合させる歯およびボルト２１用の２つの挿通穴をもつブロック部１９aと、このブロック部１９aの表側から上記溝穴を摺動自在に覆ってばね２０の脱落を防ぐように一端側へ延びる蓋部１９bとからなる。
そして、第１摺動ブロック１９を、ベルトの一端６０aにブロック部１９aを噛合させつつ、その一端が自由長のばね２０に接するようにして表側から溝穴に嵌め込むと、図中右側の上記挿通穴が、第１凹部１８の裏面壁に設けられた３つの雌ねじ穴２２a,２２ｂ,２２cの右端の雌ねじ穴２２cに揃うようになっている。上記溝穴の下縁には、自由長のばね２０に接して第１摺動ブロック１９を溝穴に嵌め込んだ場合の蓋部１９bの先端位置に、目盛り２３が刻まれるとともに、歯付プーリ５をベルト張り方向に回転させて、第１摺動ブロック１９をばね２０に抗して２つの挿通穴が上記左側２つの雌ねじ穴２２a,２２bに揃うまで一端側へ摺動させたときの蓋部１９bの先端位置にも、目盛り２４が刻まれている。そして、この状態まで圧縮されたばね２０によって、歯付ベルト６０に所定の最適張力が加えられるようになっている。
【００２２】
図３のベルト張り調整装置は、次のように用いられる。
ブラケット５５の上部に固定された固定具１の第１凹部１８の溝穴に、張架された歯付ベルト６０の一端６０aを奥まで挿入し、第１凹部１８の一端に一端を接した自由長のばね２０の他端に第１摺動ブロック１９のブロック部１９aが接触するように、蓋部１９bの先端を目盛り２３に合わせつつベルト一端６０aの歯にブロック部１９bを噛合させながら、第１摺動ブロック１９を溝穴に嵌め込む。次に、図１で述べたと同様に、締付ボルト６を緩めて歯付プーリ５の六角部５cにスパナを嵌合し、歯付プーリ５の傾きを当接片８で阻止しつつ、歯付ベルト６０が適正な張力になるまでスパナを回して歯付プーリ５を回転させる。歯付プーリ５の回転に伴って、歯付ベルト６０が次第に張られ、第１摺動ブロック１９が,ばね２０を押し縮めつつ溝穴の一端に向かって移動し、歯付ベルト６０には、縮まった長さとばね定数の積に相当する張力が加わる。そして、第１摺動ブロック１９が蓋部１９bの先端を目盛り２４に揃わせるまで摺動すると、歯付ベルト６０には所定の最適張力が加わるので、このとき、スパナを外して歯付プーリ５を締付ボルト６の締め付けによって固定具１に固定する。また、一列に揃った雌ねじ穴２２a,２２bへ２本のボルト２１を螺合して、第１摺動ブロック１９を固定具１に固定するとともに、固定ボルト９を締め付けて歯付ベルトの他端６０bを固定する。かくて、張架された歯付ベルト６０は、上記最適張力に調整されて両端６０a,６０bがブラケット５５に固定されることになる。
【００２３】
このように、図３のベルト張り調整装置は、第１摺動ブロック１９,ばね２０,ボルト２１をもつ第１凹部１８と、締付ボルト６付きの歯付プーリ５を内部に枢着しただけの簡素な構造なので、スペースをとらないうえ、部品点数が少なくて安価に製造でき、図６の寸切りボルト７０を長さ調整するなどの従来例に比して、ベルト両端６０a,６０bの歯面も揃い、張力の調整を容易に行なうことができる。
さらに、第１摺動ブロック１９の一端側にばね２０を縮装しているので、歯付プーリ５の回転に伴って歯付ベルト６０に加わる張力を、ばね２０の縮みによって直ちに知ることができるから、迅速かつ容易に所望の一定張力を歯付ベルト６０に与えることができる。なお、ばね力を知るための目盛りは、溝穴に沿う任意の箇所に刻めることは勿論である。
また、第１摺動ブロック１９に摺動溝穴を覆う蓋部１９bを設けているので、少ない部材で縮装したばね２０および歯付ベルトの一端６０aの脱落を防げるという利点がある。固定ボルト９および歯付プーリの六角部５cと当接片８の利点については、図１で述べたとおりである。
【００２４】
本発明のベルト張り調整装置の参考例は、図示しないが、図２で述べた調整装置の固定部２を、歯付ベルト６０の一端６０aを案内する図３で述べた第１凹部１８で置き換えて得られる。
従って、このベルト張り調整装置も、既に述べたと同様に用いられ、スペースをとらないうえ、部品点数が少なくて安価に製造でき、従来例に比してベルト両端の歯面も揃い、張力の調整作業が容易で、加えて、第１摺動ブロック１９の一端側に縮装したばね２０によって、容易かつ確実に所望の一定張力を歯付ベルト６０に加えることができる。
【００２５】
図４(Ａ),(Ｂ),(Ｃ)は、本発明の請求項３のベルト張り装置の一例を示す正面図,側面図,平面図である。この調整装置は、図２で述べた固定具１に、第２凹部１３の両端から突出するフランジ部３１,３１を付加し、図２の第２摺動ブロック１４を、上記フランジ部３１と同程度に前方へ突出し,下面３２aが歯付ベルトの他端６０bに噛合する歯になった新たな第２摺動ブロック３２とし、図２の送りボルト１５を、上記フランジ部３１,３１の取付穴３３,３３に挿通させ,第２摺動ブロック３２の貫通ねじ穴３４に螺合させ,フランジ部３１を挟む首下にロックナット３５をもつ新たな送りボルト３６とした点のみが図２と異なるので、図２と同じ部材には同一番号を付して説明を省略する。
【００２６】
上記第２凹部１３は、表側(前面)に開いたコ字状断面をなし(図４(Ｂ)参照)、左端が突出するフランジ部３１で遮られ,右端が下部以外を同様のフランジ部３１で遮られるとともに(図４(Ａ),(Ｃ)参照)、下方に歯付ベルトの一端６０aを固定する固定部２が形成されている。一方、上記第２摺動ブロック３２は、図４(Ｂ)に示すように、コ字状の第２凹部１３に嵌合する断面形状を有するとともに、噛合した歯付ベルトの他端６０bの前側面に当接してベルトの抜けを防止し,かつ送りボルト３６との共回りを防止して確実な進退摺動を保証する板状突起３２bを下面３２aに設けている。
なお、歯付ベルトの一端６０aの抜けを防止する座金付きボルト７は、図２の実施の形態のベルトの下縁と異なり上縁の固定部２に取り付けられる。
【００２７】
図４のベルト張り装置は、次のように用いられる。
ブラケット５５の上部に固定された固定具１の固定部２に、一対の歯付プーリ５８a,５８b(図５参照)に張架された歯付ベルト６０の一端６０aを嵌め込んで噛合させ、座金付きボルト７を螺着して抜け止めをする。次に、歯付ベルト６０の他端６０bを第２摺動ブロック３２の下面の歯に噛合させ、図中で左方向に引っ張って歯付ベルト６０を適度に緊張させた状態で、第２摺動ブロック３２をフランジ３１,３１間の第２凹部１３に嵌め込む。続いて、送りボルト３６を、左のフランジ３１の取付穴３３に挿通し,首下にロックナット３５を螺合し、ボルトを締付方向に回しつつその先端を、第２摺動ブロック３２のねじ穴３４に螺合していく。このとき、ベルト張力で右のフランジ３１に当接している第２摺動ブロック３２を手で押さえ付けておくと、送りボルト３６の先端がねじ穴３４の奥に進んでいき、最後に第２摺動ブロック３２を抜けて右のフランジ３１の取付穴３３を貫通する。この時点で手を第２摺動ブロック３２から離し、さらに送りボルト３６を締付方向に回すと、板状突起３２bで共回りを阻止される第２摺動ブロック３２は、第２凹部１３内を左方向に摺動し、歯付ベルト６０がさらに緊張される。そこで、歯付ベルト６０が適正張力になったとき、首下のロックナット３５を左のフランジ３１に密接するまで締め付ける。これにより、張架された歯付ベルト６０は、適正な張力に調整されてブラケット５５に両端６０a,６０bが固定されることになる。
【００２８】
このように、図４のベルト張り調整装置は、固定部２と第２摺動ブロック３２,送りボルト３６を挿通したフランジ部３１,第２凹部１３とからなる固定具１をブラケット５５に固定しただけの簡素な構造なので、スペースをとらないうえ、部品点数が少なくて安価に製造でき、図６の寸切りボルト７０を長さ調整するなどの従来例に比して、ベルト両端の歯面も揃い、張力の調整作業を容易に行なうことができる。
また、第２凹部１３の両端から前方に突出するフランジ部３１,３１に挿通され、前方に突出する第２摺動ブロック３２の貫通ねじ穴３４に螺合された送りボルト３６は、歯付ベルト６０やブラケット５５よりも前方に位置するので(図４(Ｂ)参照)、送りボルト３６やロックナット３５をレンチ等で容易に回わすことができ、歯付ベルト６０の張力調整作業を一層容易に行なうことができる。
さらに、第２摺動ブロック３２の下面３２aに板状突起３２bを設けているので、この板状突起３２bが歯付ベルトの他端６０bの前側面に当接して抜けを防止でき、かつ第２摺動ブロック３２の送りボルト３６との共回りを防止して確実な摺動を保証することができる。加えて、送りボルト３６の首下にロックナット３５を螺合しているので、第２摺動ブロック３２を第２凹部１３内で確実に位置決めすることができる。
【００２９】
なお、本発明の歯付プーリ５を固定具１に固定する締付具は、既述の締付ボルト６に限らず、例えば歯付プーリの中心穴のスプライン溝に嵌合して固定具に固定されるスプライン軸などでもよく、第１摺動ブロック１９の一端側に縮装される弾性部材は、既述のばね２０に限らず、ゴムやエラストマであってもよい。また、第１摺動ブロック１９を固定具１に固定する固定部材は、既述のボルト２１に限らず、クランプなどでもよく、歯付プーリ５の最外端の多角形は、既述の六角形に限られない。
【００３０】
【発明の効果】
以上の説明で明らかなように、請求項１のベルト張り調整装置は、歯付ベルトの一端に噛合させる歯を有する溝にこの歯付ベルトの一端を嵌め込んで固定する固定部と、この固定部に連なり、上記歯付ベルトの他端付近の外周を案内するＵ字状をなすＵ字状案内部とを有して、上記ブラケットに固定される固定具と、上記Ｕ字状案内部の内部に配置されるように上記固定具に回動自在に取り付けられて、上記歯付ベルトの他端に噛合する歯付プーリと、この歯付プーリの中心穴に挿入され、この歯付プーリを上記固定具に固定する締付具とを備え、上記歯付プーリは、軸部の最外端がレンチが嵌合しうる多角形をなすとともに、上記歯付プーリが傾くことを阻止すべく上記多角形の内側の軸部に当接する当接片が、上記Ｕ字案内部の内側に位置するように上記固定具に設けられているので、スペースをとらず、部品点数が少なくて安価に製造でき、従来例に比してベルト両端の歯面も揃い、張力を容易に調整することができる。
【００３１】
請求項２のベルト張り調整装置は、請求項１のベルト張り調整装置の固定具の固定部を、上記歯付ベルトの一端を案内する第１凹部とし、この第１凹部内に歯付ベルトの一端に噛合させる歯を有する第１摺動ブロックを摺動自在に配置するとともに、この第１摺動ブロックと上記第１凹部の一端との間に弾性部材を縮装し、上記第１摺動ブロックを、第１凹部内の所定位置に位置するように固定部材により上記固定具に固定するようにしているので、スペースをとらず、部品点数が少なくて安価に製造でき、従来例に比してベルト両端の歯面も揃い、張力を容易に調整することができ、加えて、弾性部材によって容易かつ確実に所望の一定張力を与えることができる。
【００３２】
請求項３のベルト張り調整装置は、水平に延在し、上記歯付ベルトの一端に噛合させる歯が上部に形成された溝に上記歯付ベルトの一端を表側から嵌め込んで座金付きボルトで抜け止めして固定する固定部と、この固定部の上方に平行に連なり、表側が全面に亙って、他端が上記歯付きベルトの高さだけ夫々開いた溝穴をなして、上記歯付ベルトの他端を案内する第２凹部と、この第２凹部の両端から前方に突出するフランジ部とを有して、上記ブラケットに固定される固定具と、上記歯付ベルトの他端に噛合させる歯と歯付ベルトの抜けを防止する板状突起とを下面に有し、前方に突出するとともに、上記第２凹部に摺動自在に収容された第２摺動ブロックと、上記フランジ部の取付穴に挿通され、上記第２摺動ブロックに貫設されたねじ穴に螺合され、上記フランジ部を挟む首下にロックナットを有して、上記第２摺動ブロックを進退させる送りボルトとを備えているので、スペースをとらず、部品点数が少なくて安価に製造でき、従来例に比してベルト両端の歯面も揃い、張力を容易に調整でき、加えて、送りボルトやロックナットが前方に位置して容易に回せるから、ベルト張力の調整作業を一層容易にすることができる。
【図面の簡単な説明】
【図１】図１(Ａ)は、本発明の請求項１のベルト張り調整装置の一例を示す正面図、図１(Ｂ)は、図１(Ａ)のｂ-ｂ線に沿う断面図、図１(Ｃ)は、図１(Ａ)のｃ-ｃ線に沿う断面図である。
【図２】本発明の参考例のベルト張り調整装置の一例を示す正面図および平面図である。
【図３】図３(Ａ)は、本発明の請求項２のベルト張り調整装置の一例を示す正面図、図３(Ｂ)は、図３(Ａ)のｂ-ｂ線に沿う断面図である。
【図４】図４(Ａ)は、本発明の請求項３のベルト張り装置の一例を示す正面図、図４(Ｂ)は、図４(Ａ)のｂ-ｂ線に沿う断面図、図４(Ｃ)は、上記ベルト張り装置の平面図である。
【図５】従来のベルトで駆動される吊り扉の全体を示す正面図である。
【図６】図５のＶ部を拡大した正面図および側面図である。
【符号の説明】
１…固定具、２…固定部、３…Ｕ字状案内部、５…歯付プーリ、
５b…軸部、５c…六角部、６…締付ボルト、８…当接片、１３…第２凹部、
１４…第２摺動ブロック、１５…送りボルト、１８…第１凹部、
１９…第１摺動ブロック、２０…ばね、２１…ボルト、
２２a〜２２c…雌ねじ穴、２３,２４…目盛り、５１…開口部、
５２…レール、５３…戸車、５５…ブラケット、５７…扉、
５８a,５８b…歯付プーリ、６０…歯付ベルト、６０a…一端、６０b…他端。
【図１】
0003618043.tif 000002
【図２】
0003618043.tif 000003
【図３】
0003618043.tif 000004
【図４】
0003618043.tif 000005
【図５】
0003618043.tif 000006
【図６】
0003618043.tif 000007